(57)【要約】【課題】転倒の危険性が低く、居住空間のインテリアとも調和させ易い可動間仕切りを提供する。【解決手段】居住空間の床面20に摺動可能に載置される可動間仕切り10であって、第１の壁面12の一端と、第２の壁面14の一端とを直角に接合させた断面Ｌ字形状を備え、第１の壁面12及び第２の壁面14の端部には、それぞれ第１の先端パネル16及び第２の先端パネル18が直角に接合されている。また、第１の壁面12及び第２の壁面14の表面には表面用クロス50が貼り付けられると共に、これらの内面には内面用クロス51が貼り付けられている。【選択図】図１
2015140545.tif 000002
【特許請求の範囲】
【請求項１】
居住空間の床面に摺動可能に載置される可動間仕切りであって、
第１の壁面の一端と、第２の壁面の一端とを直角に接合させた断面Ｌ字形状を備え、
上記第１の壁面及び第２の壁面の少なくとも一方の端部に、先端パネルの一端が直角に接合されると共に、第１の壁面及び第２の壁面の表面に仕上げ材が貼着されていることを特徴とする可動間仕切り。
【請求項２】
居住空間の床面に摺動可能に載置される可動間仕切りであって、
第１の壁面の途中と、第２の壁面の一端とを直角に接合させた断面Ｔ字形状を備え、
上記第１の壁面及び第２の壁面の少なくとも一方の端部に、先端パネルの一端が直角に接合されると共に、第１の壁面及び第２の壁面の表面に仕上げ材が貼着されていることを特徴とする可動間仕切り。
【請求項３】
上記第１の壁面及び第２の壁面の下端面に、摺動性を加減するための摺動性調整材が取り付けられていることを特徴とする請求項１または２に記載の可動間仕切り。
【請求項４】
上記第１の壁面及び第２の壁面の下端面に、鋼球の一部を筐体内に収納させた免震ボールが複数個取り付けられていることを特徴とする請求項１〜３の何れかに記載の可動間仕切り。
【請求項５】
上記第１の壁面及び第２の壁面が、居住空間の床面に載置された下部ランナの上面に、１または複数枚のパネル部材を接合することによって形成され、
各パネル部材の外面及び内面の少なくとも一方に仕上げ材が貼着されることを特徴とする請求項１〜４の何れかに記載の可動間仕切り。
【請求項６】
上記第１の壁面及び第２の壁面の少なくとも一方の表面に、電源コンセントまたは有線LANもしくは電話線のモジュラーソケットが設けられると共に、当該壁面の内部に必要なケーブル類の配線が施されていることを特徴とする請求項１〜５の何れかに記載の可動間仕切り。
【発明の詳細な説明】
【技術分野】
【０００１】
この発明は、可動間仕切りを用いて居住空間を柔軟に区画する技術に関する。
【背景技術】
【０００２】
現在、多様化した都市型ライフスタイルの進展に伴い、既存の帖数や間取りにとらわれない自由な住まい方が求められており、このような住宅環境ニーズの中で、ライフサイクルに応じて気軽に居住空間を区画する技術が種々模索されている。
【０００３】
例えば、下記の特許文献１においては、可動間仕切りを用いて居住空間内に複数の部屋と通路スペースを形成する技術が開示されている。
また、下記の非特許文献１においては、天井に配設したレールに沿って間仕切りパネルを移動させることにより、居住空間の間取りを可変とする技術が開示されている。
【特許文献１】特開２００１−１０７４９５
【非特許文献１】オーダーメイド可動間仕切［マジキロウ］  インターネットURL：http://www.nankaiplywood.co.jp/topics/2011/10/majikiroo.php  検索日：２０１４年１月１５日
【発明の開示】
【発明が解決しようとする課題】
【０００４】
しかしながら、特許文献１で用いられる個々の可動間仕切りは、収納空間を有するボックス状のものであり、タンスやロッカー、本箱等の一般的な家具を用いて部屋を区切る従来からの方式と実質的には同じといえる。このため、部屋のインテリアと調和させることが難しく、また転倒の危険性が高いという問題があった。
【０００５】
非特許文献１の可動間仕切りの場合には、天井に敷設したレールから間仕切りパネルを吊り下げる方式であるため、転倒の危険性は少ないが、部屋の仕切り方が予め設定されたレールの位置や形状に限定されるため、柔軟性に欠けるという問題があった。
【０００６】
この発明は、このような従来の問題を解決するために案出されたものであり、居住者のライフスタイルの変化に応じて柔軟に間取りを変更できると共に、転倒の危険性が低く、居住空間のインテリアとも調和させ易い可動間仕切りを提供することを目的としている。
【課題を解決するための手段】
【０００７】
上記の目的を達成するため、請求項１に記載した可動間仕切りは、居住空間の床面に摺動可能に載置される可動間仕切りであって、第１の壁面の一端と、第２の壁面の一端とを直角に接合させた断面Ｌ字形状を備え、上記第１の壁面及び第２の壁面の少なくとも一方の端部に、先端パネルの一端が直角に接合されると共に、第１の壁面及び第２の壁面の表面に仕上げ材（例えばクロス）が貼着されていることを特徴としている。
【０００８】
また、請求項２に記載した可動間仕切りは、居住空間の床面に摺動可能に載置される可動間仕切りであって、第１の壁面の途中（例えば中央付近）と、第２の壁面の一端とを直角に接合させた断面Ｔ字形状を備え、上記第１の壁面及び第２の壁面の少なくとも一方の端部に、先端パネルの一端が直角に接合されると共に、第１の壁面及び第２の壁面の表面に仕上げ材（例えばクロス）が貼着されていることを特徴としている。
【０００９】
請求項３に記載した可動間仕切りは、請求項１または２の構成を前提とし、さらに上記第１の壁面及び第２の壁面の下端面に、摺動性を加減するための摺動性調整材が取り付けられていることを特徴としている。
この「摺動性調整材」として、例えばフェルトが該当する。
【００１０】
請求項４に記載した可動間仕切りは、請求項１〜３の構成を前提とし、さらに、上記第１の壁面及び第２の壁面の下端面に、鋼球の一部を筐体内に収納させた免震ボール（例えば鋼球式滑り転がり免震装置）が複数個取り付けられていることを特徴としている。
【００１１】
請求項５に記載した可動間仕切りは、請求項１〜４の構成を前提とし、さらに、上記第１の壁面及び第２の壁面が、居住空間の床面に載置された下部ランナの上面に、１または複数枚のパネル部材を接合することによって形成され、各パネル部材の外面及び内面の少なくとも一方に仕上げ材（例えばクロス）が貼着されることを特徴としている。
【００１２】
請求項６に記載した可動間仕切りは、請求項１〜５の構成を前提とし、さらに、上記第１の壁面及び第２の壁面の少なくとも一方の表面に、電源コンセントまたは有線LANもしくは電話線のモジュラーソケットが設けられると共に、当該壁面の内部に必要なケーブル類の配線が施されていることを特徴としている。
【発明の効果】
【００１３】
この発明に係る可動間仕切りの場合、第１の壁面及び第２の壁面を直角に接合させた断面Ｌ字形状または断面Ｔ字形状という安定した形状を備えているため、地震等による振動が発生しても容易に転倒することはない。また、第１の壁面または第２の壁面の端面に先端パネルが直交する形で接合されているため、全体の剛性が向上すると共に、振動発生時における転倒防止効果が助長されている。
また、設置する居住空間の内装に合わせて第１の壁面及び第２の壁面に貼り付けるクロス等の仕上げ材を選択することにより、可動間仕切りを居住空間のインテリアに調和させることが容易となる。
【発明を実施するための最良の形態】
【００１４】
図１は、この発明に係る可動間仕切り10の内面側を示す斜視図であり、図２は、この可動間仕切り10の外面側を示す斜視図である。
可動間仕切り10は、比較的横幅の広い長方形よりなる第１の壁面12の一辺と、比較的横幅の狭い長方形よりなる第２の壁面14の一辺とを、直角に接合させた断面Ｌ字形状を備えている。
また、第１の壁面12の他辺には、長方形状をした第１の先端パネル16の一辺が直角に接合されており、第２の壁面14の他辺にも、長方形状をした第２の先端パネル18の一辺が直角に接合されている。
【００１５】
この可動間仕切り10は、工場でプレ加工が施された複数の構成部材をマンションのリビング等の居住空間に搬送し、現場において組立られる。
以下、図３及び図４に従い、可動間仕切り10の組立方法を説明する。ただし、この組立方法はあくまでも一例であり、異なる構成を備えた部材を用い、異なる組立手順に従って可動間仕切り10を形成することも当然に可能である。
【００１６】
まず、図３に示すように、設置場所の床面20に、木製の第１の下部ランナ21及び第２の下部ランナ22を載置する。
この際、第１の下部ランナ21の上端と第２の下部ランナ22の左端が直角に接するように配置され、ネジや釘、接着剤等によって相互に固定される。
第１の下部ランナ21は、第１の壁面12の横幅に対応した長さを備えており、第２の下部ランナ22は、第２の壁面14の横幅に対応した長さを備えている。
【００１７】
図４(a)に示すように、第１の下部ランナ21は断面長方形状のベース材23と、その上面中央に配置固定された断面長方形状の凸材24を備えている。
また、ベース材23の下面には、フェルト等よりなる摺動性調整材25が接合されている。
図示は省略したが、第２の下部ランナ22も第１の下部ランナ21と同様の構造を備えている。
【００１８】
つぎに、第１の下部ランナ21及び第２の下部ランナ22の上に、所定の横幅を備えた長方形状のパネル部材を複数載置・固定させることで、第１の壁面12と第２の壁面14を形成する。
図３においては、第１の下部ランナ21に対して第１のパネル部材30及び第２のパネル部材31を載置・固定することで第１の壁面12を形成すると共に、第２の下部ランナ22に対して第３のパネル部材32及び第４のパネル部材33を載置・固定することで第２の壁面14を形成する例が示されている。
【００１９】
ただし、用いるパネル部材の数に限定はない。すなわち、比較的横幅の広い１枚のパネル部材によって第１の壁面12あるいは第２の壁面14を形成することもできるし、比較的横幅の狭いパネル部材を３枚以上用いて第１の壁面12あるいは第２の壁面14を形成してもよい。
【００２０】
各パネル部材及び先端パネルは、木製の芯板35の外面に第１の表装板36を接合させると共に、内面に第２の表装板37を接合させた積層構造を備えている。
【００２１】
第１のパネル部材30〜第４のパネル部材33の芯板35の下端面には、図４(a)に示すように、それぞれ凹溝38が形成されており、この凹溝38を第１の下部ランナ21及び第２の下部ランナ22の凸材24に嵌め入れることにより、各パネル部材と下部ランナ間の位置決めが実現される。
この後、芯板35の側端面から凸材24の表面側に向けて木ねじ（図示省略）を斜めにねじ入れることにより、両者間が強固に係合される。この際に、凹溝38と凸材24間に接着剤を塗布することもできる。
【００２２】
各パネル部材の第１の表装板36及び第２の表装板37の下端は、それぞれ芯板35よりも下方向に長く延びているため、下部ランナ21の側面を覆い隠すことができる（図４(b)参照）。
【００２３】
図３に示すように、第１のパネル部材30の内面先端側には、第２の表装板37で覆われていない露出部が形成され、そこに凹溝39が設けられている。
ここに、第３のパネル部材32の先端面に設けられた凸条40を嵌め入れ、接着あるいはネジ止め等することにより、第１のパネル部材30と第３のパネル部材32が直角に接合され、コーナが形成される。
【００２４】
また、第１のパネル部材30の一側面に凹溝39が形成されると共に、第２のパネル部材31の一側面には凸条40が形成されており、両者を嵌め入れることにより、第１のパネル部材30と第２のパネル部材31の側面間が強固に連結される。
【００２５】
この第２のパネル部材31の他側面には凹溝39が形成されており、これに第１の先端パネル16の内面側に形成された凸条40を嵌め入れ、接着あるいはネジ止めすることにより、第１の先端パネル18が直角に接合される。
【００２６】
また、第３のパネル部材32の一側面に凹溝39が形成されると共に、第４のパネル部材33の一側面には凸条40が形成されており、両者を嵌め入れることにより、第３のパネル部材32と第４のパネル部材33の側面間が強固に連結される。
【００２７】
この第４のパネル部材33の他側面には凹溝39が形成されており、これに第２の先端パネル18の内面側に形成された凸条40を嵌め入れ、接着あるいはネジ止めすることにより、第２の先端パネル18が直角に接合される。
【００２８】
図５は、第１のパネル部材30、第２のパネル部材31、第３のパネル部材32、第４のパネル部材33、第１の先端パネル16、第２の先端パネル18を接合させた状態の断面図である。
【００２９】
図示の通り、第３のパネル部材32の表装板36が芯板35よりも長く延びており、これによって第１のパネル部材30の側面が覆い隠されている。
また、第２のパネル部材31の表装板36が芯板35よりも長く延びており、これによって第１の先端パネル16の側面が覆い隠されている。
同様に、第４のパネル部材33の表装板36が芯板35よりも長く延びており、これによって第２の先端パネル18の側面が覆い隠されている。
【００３０】
この後、図４(a)に示すように、各パネル部材の上面に上部ランナ42を被せる。この上部ランナ42は、断面長方形状のベース材43と、その下面中央に配置固定された断面長方形状の凸材44を備えている。
この上部ランナ42の凸材44を、各パネル部材の上面に形成された凹溝45に嵌め入れ、接着させる。
【００３１】
各パネル部材の第１の表装板36及び第２の表装板37の上端は、それぞれ芯板35よりも上方向に長く延びているため、上部ランナ42の側面を覆い隠すことができる（図４(b)参照）。
【００３２】
つぎに、各パネル部材及び先端パネルの上面に、表側及び内側から断面Ｌ字形状のコーナービート48が接着される。
つぎに、各パネル部材と先端パネルの表面に表面用クロス50が貼り付けられると共に、各パネル部材と先端パネルの内面に内面用クロス51が貼り付けられる。
最後に、各パネル部材と先端パネルの表面及び内面の下端に幅木52が取り付けられ、可動間仕切り10が完成する。
【００３３】
この可動間仕切り10は、第１の壁面12の一辺と第２の壁面14の一辺を直角に接合させた断面Ｌ字形状を備えて、その重量も例えば５０〜９０kgと比較的重く設定されているため、従来の屏風や衝立に比べて安定感があり、人間が寄り掛かった程度では移動することがなく、地震等による振動が発生しても転倒する危険性が低い。
一方で、下部ランナ21の裏面にフェルト等の摺動性調整材25が貼り付けられており、適度な摺動性を有しているため、大人１〜２人が力を込めて押すことにより、床面20の上を静かに回転・移動させることができる。
なお、この摺動性調整材25として、フェルトの代わりに板状ゴムを用いることにより、可動間仕切り10の摺動性を低下させる同時に、その安定性を高めることもできる。
【００３４】
また、第１の壁面12及び第２の壁面14の端面には、それぞれ第１の先端パネル16及び第２の先端パネル18が直角に接合されているため、これによって可動間仕切り10の全体の剛性が向上すると共に、振動発生時における転倒防止効果が助長されている。
【００３５】
設置する居住空間の内装に合わせて第１の壁面12及び第２の壁面14に貼り付けるクロスを選択することにより、可動間仕切り10を居住空間のインテリアに調和させることが容易となる。
【００３６】
この可動間仕切り10の第１の壁面12及び第２の壁面14の横幅については特に限定はないが、例えば１〜２ｍの範囲内に設定される。第１の壁面12及び第２の壁面14の横幅を等しく設定することも当然に可能である。
また、可動間仕切り10の高さについても限定はないが、例えば１〜２ｍ程度に設定される。
【００３７】
ここで、可動間仕切り10の向きについて説明しておく。
まず、第１の壁面12と第２の壁面14の横幅が等しい場合には、横回転させるだけで設置方向の全バリエーションをカバーすることができるが、両者の横幅に差異がある場合には、横回転だけではカバーできない設置方向が生じる。
【００３８】
例えば、図６(a)に示すように、横幅の広い第１の壁面12の右端に横幅の狭い第２の壁面14を直角に接合させた可動間仕切り10を、同図(b)〜(d)のように90度単位で右回転させても、同図(e)のように第１の壁面12の左端に第２の壁面14を直角に接合させた可動間仕切り10の形状を実現することはできない。
【００３９】
このため、向きの異なる一対の可動間仕切りが必要な場合には、原則として第２の壁面14を第１の壁面12の反対側に取り付けた２種類の可動間仕切りを組み立てる必要がある。
ただし、図６(a)の向きの可動間仕切り10に対して、天地を反転させる縦回転を施すことにより、同図(e)の状態を実現することもできる。
このためには、上部ランナ42の表面上にフェルト等の摺動性調整材25を取り付けることにより、予め上下共通の構成としておくことが望ましい。
【００４０】
つぎに、図７〜図１１に従い、この可動間仕切り10の基本的な利用方法について説明する。ただし、これらの利用方法はあくまでも一例であり、他の利用方法を排除するものではない。
【００４１】
まず、図７に示すように、ガス台やシンク等の台所設備61のみが設置された比較的シンプルな居住空間60に対して１台の可動間仕切り10を設置することにより、図８に示すように、シングルベッド62とデスク63等を設置したベッドルーム64を設けることができる。
【００４２】
また、この可動間仕切り10を１８０度回転させて移動させることにより、図９に示すように、ベッドルーム64をベランダ65付近からドア66付近に容易に配置換えすることができる。
さらに、この可動間仕切り10を９０度回転させてシンク側に移動させることにより、図１０に示すように、台所設備61を覆い隠すと共に、比較的広いビジネススペースを形成することが可能となる。
【００４３】
この可動間仕切り10を複数組み合わせて用いることにより、さらに居住空間60の区画パターンを増やすことができる。
例えば、図１１に示すように、向きの異なる一対の可動間仕切り10を用意し、それぞれの第２の壁面14間に通路スペース67が形成されるように配置することにより、相互に独立した２つのベッドルーム64, 64を設けることができる。
【００４４】
あるいは、図１２に示すように、同じ向きの可動間仕切り10を二つ用意し、それぞれの第１の壁面12及び第２の壁面14同士が一直線に並ぶように配置させることにより、一つの居住空間60を４つの小スペースに区画することができる。
【００４５】
図１３は、可動間仕切り10の第２の壁面14の外側に洋服ダンスや本箱といった収納家具68の背面を着脱自在に接合させた例を示している。
この結果、可動間仕切り10の安定性をさらに向上させることができる。
【００４６】
図１４は図１３の変形例であり、第１の壁面12の内面側に収納家具68の側面を直角に接合させたものである。すなわち、収納家具68を第２の壁面14として利用するものである。
【００４７】
図１５は、可動間仕切り10の第１の壁面12の横幅を比較的広く形成し、その中央付近に第２の壁面14を直角に接合させると共に、第１の壁面12の両端に第１の先端パネル16を外向きに接合させ、第２の壁面14の端面に第２の先端パネル18を直角に接合させた例を示している。
このように、断面Ｔ字形状の可動間仕切り10を用いることにより、１台の可動間仕切り10によって居住空間60を３つのスペースに区画することが可能となる。
【００４８】
図１６は図１５の変形例であり、横幅を比較的広く形成した第１の壁面12の内面の中央付近に、収納家具68の側面を直角に接合させたものである。すなわち、収納家具68を第２の壁面14として利用するものである。
【００４９】
図１７(a)は、地震発生時の転倒を完全に防止するために、可動間仕切り10の下部ランナ21の下面に免震ボール70を複数取り付ける例を示している。
免震ボール70は、硬球71の上半分を円筒状の筐体72内に回転可能に収納させた構造を備えており、地震等による振動を硬球71の回転で吸収する仕組みを備えている。
なお、硬球71をそのまま床面20に接触させると安定性に欠けたり、床面を傷付けたりする可能性があるため、平時においては床面20に載置されたゴム等の弾性材、あるいはプラスチック等の硬質材よりなるストッパ73の凹部74に硬球71を係合させておくことが望ましい。
【００５０】
ここで、地震によって一定以上の加速度の揺れが可動間仕切り10に加えられると、図１７(b)に示すように、各免震ボール70の硬球71がストッパ73の凹部74から外れ、床面20に接触することとなる。
このため、地震による振動は硬球71の回転によって吸収される結果、可動間仕切り10は大きく移動することなく、ほぼ同じ位置を保持することができる。
地震が収まった後は、可動間仕切り10を若干上に持ち上げて、免震ボール70の下にストッパ73を差し入れればよい。
【００５１】
図１８は、可動間仕切り10の応用例を示すものであり、第１の壁面12及び第２の壁面14の内側に棚80を設けると共に、棚80の裏面に照明器具81を設置し、さらに第２の壁面14の内面に電源コンセント82を設けている。
電源コンセント82及び各照明器具81には、第２の壁面14内に配設された電源ケーブル及び外部に取り出された電源プラグ83を介して電源が供給される。
【００５２】
図示は省略したが、電源コンセント82の代わりに、有線ＬＡＮや電話線のモジュラーソケットを壁面パネルの内側に設け、壁面内に配設したケーブル類を外部に取り出すように構成してもよい。
【００５３】
図１９は、可動間仕切り10の他の応用例を示すものであり、第１の壁面12の外面にホワイトボード用塗料や黒板用塗料を塗布することにより、落書きスペース84を形成したものである。
【図面の簡単な説明】
【００５４】
【図１】この発明に係る可動間仕切りの内面側を示す斜視図である。
【図２】可動間仕切りの外面側を示す斜視図である。
【図３】可動間仕切りの組立工程を示す部分断面図である。
【図４】可動間仕切りの組立工程を示す断面図である。
【図５】可動間仕切りの組立工程を示す断面図である。
【図６】可動間仕切りの向きと横回転との関係を示す説明図である。
【図７】可動間仕切りを設置する居住空間を示す図である。
【図８】居住空間に対する可動間仕切りの設置例を示す説明図である。
【図９】居住空間に対する可動間仕切りの設置例を示す説明図である。
【図１０】居住空間に対する可動間仕切りの設置例を示す説明図である。
【図１１】居住空間に対する可動間仕切りの設置例を示す説明図である。
【図１２】居住空間に対する可動間仕切りの設置例を示す説明図である。
【図１３】可動間仕切りの変形例を示す説明図である。
【図１４】可動間仕切りの変形例を示す説明図である。
【図１５】可動間仕切りの変形例を示す説明図である。
【図１６】可動間仕切りの変形例を示す説明図である。
【図１７】可動間仕切りに免震ボールを取り付けた例を示す説明図である。
【図１８】可動間仕切りの内側に棚や照明器具等を取り付けた例を示す斜視図である。
【図１９】可動間仕切りの外側に落書きスペースを形成した例を示す斜視図である。
【符号の説明】
【００５５】
10 可動間仕切り
12 第１の壁面
14 第２の壁面
16 第１の先端パネル
18 第２の先端パネル
20 床面
21 第１の下部ランナ
22 第２の下部ランナ
23 ベース材
24 凸材
25 摺動性調整材
30 第１のパネル部材
31 第２のパネル部材
32 第３のパネル部材
33 第４のパネル部材
35 芯板
36 第１の表装板
37 第２の表装板
38 凹溝
39 凹溝
40 凸条
42 上部ランナ
43 ベース材
44 凸材
45 凹溝
48 コーナービート
50 表面用クロス
51 内面用クロス
52 幅木
60 居住空間
61 台所設備
62 シングルベッド
63 デスク
64 ベッドルーム
65 ベランダ
66 ドア
67 通路スペース
68 収納家具
70 免震ボール
71 硬球
72 筐体
73 ストッパ
74 凹部
80 棚
81 照明器具
82 電源コンセント
83 電源プラグ
84 落書きスペース
【図１】
2015140545.tif 000003
【図２】
2015140545.tif 000004
【図３】
2015140545.tif 000005
【図４】
2015140545.tif 000006
【図５】
2015140545.tif 000007
【図６】
2015140545.tif 000008
【図７】
2015140545.tif 000009
【図８】
2015140545.tif 000010
【図９】
2015140545.tif 000011
【図１０】
2015140545.tif 000012
【図１１】
2015140545.tif 000013
【図１２】
2015140545.tif 000014
【図１３】
2015140545.tif 000015
【図１４】
2015140545.tif 000016
【図１５】
2015140545.tif 000017
【図１６】
2015140545.tif 000018
【図１７】
2015140545.tif 000019
【図１８】
2015140545.tif 000020
【図１９】
2015140545.tif 000021